(57)【要約】【課題】取り付け、取り外しする際に人体に電流が流れることがない安全性が高いＬＥＤランプおよびＬＥＤランプ取り付け装置を提供する。【解決手段】本発明のＬＥＤランプは、交流電圧が供給される一対の接続端子４ｐ1、４ｐ2、５ｐ1、５ｐ2と、一対の接続端子４ｐ1、４ｐ2、５ｐ1、５ｐ2を介して印加される交流電圧を直流電圧に変換するＡＣ／ＤＣコンバータ６と、直流電圧が印加され発光する光源のＬＥＤ３とを有するＬＥＤランプ１であって、接続端子４ｐ1、４ｐ2がＬＥＤランプ取り付け装置Ｋ１の対応する被接続端子７ａ、７ｂに接続された場合、ＡＣ／ＤＣコンバータ６への交流電圧の通電をオンする一方、接続端子５ｐ1、５ｐ2が対応する被接続端子８ａ、８ｂに接続されない場合、ＡＣ／ＤＣコンバータ６への通電をオフする安全スイッチ手段１０、２０を備えている。【選択図】図３
2010192229.tif 000002
【特許請求の範囲】
【請求項１】
交流電圧が供給される一対の接続端子と、前記一対の接続端子を介して印加される交流電圧を直流電圧に変換するＡＣ／ＤＣコンバータと、前記直流電圧が印加され発光する光源のＬＥＤとを有するＬＥＤランプであって、
前記接続端子がＬＥＤランプ取り付け装置の対応する被接続端子に接続された場合、前記ＡＣ／ＤＣコンバータへの前記交流電圧の通電をオンする一方、前記接続端子が対応する前記被接続端子に接続されない場合、前記ＡＣ／ＤＣコンバータへの前記通電をオフする安全スイッチ手段を備える
ことを特徴とするＬＥＤランプ。
【請求項２】
前記安全スイッチ手段は、一方の前記接続端子に対応する第１安全スイッチと、他方の前記接続端子に対応する第２安全スイッチとであり、
前記第１安全スイッチは、
第１付勢部材と、前記第１付勢部材により前記ＬＥＤランプ取り付け装置に向けて当接するように付勢される第１当接部材と、前記一方の接続端子が対応する前記ＬＥＤランプ取り付け装置の一方の前記被接続端子に接続された場合に前記第１当接部材が前記ＬＥＤランプ取り付け装置に当接することにより押圧され前記通電をオンする一方、前記一方の接続端子が前記ＬＥＤランプ取り付け装置の前記一方の被接続端子に接続されない場合に前記第１当接部材が前記ＬＥＤランプ取り付け装置に当接しないことにより押圧されず前記通電をオフする第１スイッチ接続端子部とを有し、
前記第２安全スイッチは、
第２付勢部材と、前記第２付勢部材により前記ＬＥＤランプ取り付け装置に向けて当接するように付勢される第２当接部材と、他方の前記接続端子が対応する前記ＬＥＤランプ取り付け装置の他方の前記被接続端子に接続された場合に前記第２当接部材が前記ＬＥＤランプ取り付け装置に当接することにより押圧され前記通電をオンする一方、前記他方の接続端子が前記ＬＥＤランプ取り付け装置の前記他方の被接続端子に接続されない場合に前記第２当接部材が前記ＬＥＤランプ取り付け装置に当接しないことにより押圧されず前記通電をオフする第２スイッチ接続端子部とを有する
ことを特徴とする請求項１に記載のＬＥＤランプ。
【請求項３】
交流電圧が供給される一対の接続端子および前記一対の接続端子を介して印加される交流電圧を直流電圧に変換するＡＣ／ＤＣコンバータおよび前記直流電圧が印加され発光する光源のＬＥＤを有するＬＥＤランプが、その一対の接続端子が一対の被接続端子にそれぞれ接続されることで、前記一対の被接続端子を介して前記ＬＥＤランプに交流電圧を供給するＬＥＤランプ取り付け装置であって、
前記ＬＥＤランプの一対の接続端子がそれぞれ対応する前記一対の被接続端子に接続された場合に前記ＬＥＤランプに交流電圧を供給する一方、前記ＬＥＤランプの一方の接続端子が対応する一方の前記被接続端子に接続されるとともに前記ＬＥＤランプの他方の接続端子が対応する他方の前記被接続端子に接続されない場合に前記一方の被接続端子を介して前記ＬＥＤランプに交流電圧を供給しない安全スイッチ手段を備える
ことを特徴とするＬＥＤランプ取り付け装置。
【発明の詳細な説明】
【技術分野】
【０００１】
本発明は、光源にＬＥＤ(Light Emitting Diode：発光ダイオード)を用いるＬＥＤランプおよびＬＥＤランプ取り付け装置に関する。
【背景技術】
【０００２】
従来の蛍光灯照明装置として、グローランプを用いるグロースタータ式蛍光灯照明装置について、以下説明する。
図４は、従来の直管型の蛍光灯１００がグロースタータ式蛍光灯照明装置の蛍光灯灯器具Ｋ１０にセットされた構造を示す概念図である。
従来の蛍光灯１００は、内部に水銀ガスとアルゴンガスとが封入され内周面に蛍光膜が形成される長円筒状のガラス管の蛍光管１０１と、該蛍光管１０１の両端部をそれぞれ閉塞する口金１０２、１０３と、一方端部の口金１０２に固定され蛍光管１０１の一方端部の端子を形成する一対の口金ピン１０２ｐ1、１０２ｐ2と、他方端部の口金１０３に固定され蛍光管１０１の他方端部の端子を形成する一対の口金ピン１０３ｐ1、１０３ｐ2とを有している。
【０００３】
一方端部の一対の口金ピン１０２ｐ1、１０２ｐ2には、点灯時に電流が流され熱せられ電子を放出するフィラメント１０４ａが蛍光管１０１内で接続されるとともに、他方端部の一対の口金ピン１０３ｐ1、１０３ｐ2には、点灯時に電流が流され熱せられ電子を放出するフィラメント１０４ｂが蛍光管１０１内で接続されている。
【０００４】
蛍光灯灯器具Ｋ１０における回路は、一方端部の電源ソケット１０５の雌型端子１０５ａと他方端部の電源ソケット１０６の雌型端子１０６ａとの間に、例えば商用電源のＡＣ電源１０７と、電源のオン／オフを行うための電源スイッチ１０８と、照明を安定化するためのチョークコイル等の安定器１０９とが接続されている。また、一方端部の電源ソケット１０５の雌型端子１０５ｂと他方端部の電源ソケット１０６の雌型端子１０６ｂとの間には、蛍光灯１００の点灯を開始するためのグローランプ１１０が接続されている。
【０００５】
図４の二点鎖線で示すように、電源スイッチ１０８をオンすると、蛍光灯１００がセットされた電源ソケット１０５、１０６に交流電圧がかかり、両端部のフィラメント１０４ａ、１０４ｂに電流が流れ、蛍光灯１００の内部に電子が飛び出しやすい状態が作られる。そして、フィラメント１０４ａを介してグローランプ１１０の電極を形成するバイメタル１１０ｂに電圧がかかり、グローランプ１１０内のバイメタル１１０ｂがグロー放電を起こし、熱膨張してグローランプ１１０内の隣の電極１１０ａに接触する。グローランプ１１０内のバイメタル１１０ｂが隣の電極１１０ａに接触するとグロー放電が停止して、バイメタル１１０ｂの熱が下り、隣の電極１１０ａから離隔する。
【０００６】
こうして、グローランプ１１０を介しての電流が遮断される際に、安定器１０９に逆起電力が発生し、電源ソケット１０５、１０６を介して、フィラメント１０４ａ、１０４ｂに高電圧がかかり、フィラメント１０４ａ、１０４ｂから電子が飛び出し、高電圧によりプラズマ状態となった水銀粒子に衝突し、水銀の原子核から電子が分離する際に放出される紫外線が蛍光管１０１内の蛍光膜に当たり、光が発せられる。
【０００７】
このように、安定器１０９により電源ソケット１０５、１０６間に高電圧が発生し、電子が電源ソケット１０５と電源ソケット１０６との間で流れ、電気の流れができ、蛍光灯１００が点灯する。したがって、電源スイッチ１０８が入っている時は、常時電源ソケット１０５および電源ソケット１０６には電圧が加わっている。
なお、蛍光灯照明装置としては、上述のグロースタータ式以外に、磁気漏れ変圧器という特殊なトランスが用いられるラピッドスタート方式の蛍光灯照明装置、交流電源を高周波に変換して点灯するインバータ方式の蛍光灯照明装置等がある。
ところで、上述の蛍光灯照明装置に代替して、低消費電力、球切れになりにくい等の信頼性の観点から、ＬＥＤを光源として用いる蛍光灯型ＬＥＤ照明装置が普及しつつある。
【０００８】
図５は、従来の直管型の蛍光灯型ＬＥＤランプ２００が灯器具Ｋ２０にセットされた構造を示す概念図である。
従来の蛍光灯型ＬＥＤランプ２００は、長円筒状の透明な樹脂管２０１と、樹脂管２０１内に照明方向に向けて配置された実装基板２０２ｋ上に搭載される多数のＬＥＤ２０２と、樹脂管２０１内の実装基板２０２ｋの裏側に配置されるＡＣ／ＤＣコンバータ２１０と、樹脂管２０１の両端部をそれぞれ閉塞する口金２０２、２０３と、一方端部の口金２０２に固定され樹脂管２０１の一方端部の端子を形成する一対の口金ピン２０２ｐ1、２０２ｐ2と、他方端部の口金２０３に固定され樹脂管２０１の他方端部の端子を形成する一対の口金ピン２０３ｐ1、２０３ｐ2とを有している。
なお、図５においては、理解を容易にするため、ＬＥＤ部２０２の実装基板２０２ｋの裏側に配置されるＡＣ／ＤＣコンバータ２１０を、多数のＬＥＤ２０２の実装基板２０２ｋと並置した状態として示している。
【０００９】
灯器具Ｋ２０における回路は、一方端部の電源ソケット２０５の雌型端子２０５ａ、２０５ｂと他方端部の電源ソケット２０６の雌型端子２０６ａ、２０６ｂとの間に、例えば商用電源のＡＣ電源２０７と、電源のオン／オフを行うための電源スイッチ２０８とが接続されている。
この構成により、図５に示すように、従来の蛍光灯型ＬＥＤランプ２００の一方端部の端子を形成する一対の口金ピン２０２ｐ1、２０２ｐ2が、一方端部の電源ソケット２０５の雌型端子２０５ａ、２０５ｂに挿入されるとともに、他方端部の端子を形成する一対の口金ピン２０３ｐ1、２０３ｐ2が、他方端部の電源ソケット２０６の雌型端子２０６ａ、２０６ｂに挿入され、蛍光灯型ＬＥＤランプ２００が蛍光灯灯器具Ｋ２０に取り付けられ、蛍光灯型ＬＥＤランプ２００に通電がなされることになる。
【００１０】
こうして、蛍光灯型ＬＥＤランプ２００のＡＣ／ＤＣコンバータ２１０に印加される交流電圧が、ＡＣ／ＤＣコンバータ２１０により直流電圧に変換され、蛍光灯型ＬＥＤランプ２００内の多数のＬＥＤ２０２にそれぞれ所定の直流電流が流され、多数のＬＥＤ２０２が発光し、蛍光灯型ＬＥＤランプ２００が点灯することになる。
【先行技術文献】
【特許文献】
【００１１】
【特許文献１】特開２００１−３５１４０２号公報
【特許文献２】実開平６−５４１０３号公報
【発明の概要】
【発明が解決しようとする課題】
【００１２】
図６は、従来の蛍光灯１００を蛍光灯灯器具Ｋ１０の電源ソケット１０５、１０６に取り付ける様子を示す概念図である。
図６に示すように、ユーザが蛍光灯１００を蛍光灯灯器具Ｋ１０に取り付ける場合、ユーザは、まず、蛍光灯１００の他方側の口金１０３を持って、蛍光灯１００の一方側の口金ピン１０２ｐ1、１０２ｐ2を蛍光灯灯器具Ｋ１０の一方端部の電源ソケット１０５の雌型端子１０５ａ、１０５ｂに差込む。この場合、ＡＣ電源１０７の電圧は、電源ソケット１０５の雌型端子１０５ａ、１０５ｂを介して一方側の口金ピン１０２ｐ1、１０２ｐ2、フィラメント１０４ａには印加されるが、ユーザが手に持つ蛍光灯１００の他方側の口金１０３の口金ピン１０３ｐ1、１０３ｐ2には電圧がかからないため、口金ピン１０３ｐ1、１０３ｐ2を介してユーザに電気が流れることはない。
【００１３】
図７は、従来の蛍光灯型ＬＥＤランプ２００を灯器具Ｋ２０の電源ソケット２０５、２０６に取り付ける様子を示す概念図である。
図７に示すように、ユーザが、従来の蛍光灯型ＬＥＤランプ２００を灯器具Ｋ２０に取り付ける場合、ユーザが蛍光灯型ＬＥＤランプ２００の他方側の口金２０３を持って、蛍光灯型ＬＥＤランプ２００の一方側の口金ピン２０２ｐ1、２０２ｐ2を電源ソケット２０５の雌型端子２０５ａ、２０５ｂに挿入すると、ＡＣ電源２０７による電流が、電源ソケット２０５の雌型端子２０５ａ、２０５ｂ、蛍光灯型ＬＥＤランプ２００の口金ピン２０２ｐ1、２０２ｐ2や、ＬＥＤ２０２、ＡＣ／ＤＣコンバータ２１０等を介して、他方側の口金ピン２０３ｐ1、２０３ｐ2に伝わり、口金２０３を持つユーザに口金ピン２０３ｐ1、２０３ｐ2を介して電流が流れる。
【００１４】
つまり、図４に示す蛍光灯１００は、両側の電源ソケット１０５、１０６の端子の雌型端子１０５ａ、１０５ｂおよび雌型端子１０６ａ、１０６ｂにより、蛍光管１０１の片側にある接続ピンの口金ピン１０２ｐ1、１０２ｐ2および接続ピンの口金ピン１０３ｐ1、１０３ｐ2により電源供給を受け点灯する仕組みになっている。
電源スイッチ１０８が入り、ＡＣ電源１０７がオンになった状態で両端の電源ソケット１０５、１０６には電圧がかかっているが、蛍光灯１００が点灯していないときは、図６に示すように、蛍光管１０１の片側のみ取り外して、その口金ピン１０３ｐ1、１０３ｐ2にユーザが手で触れても電気は流れない。
【００１５】
ここで、図４に示す蛍光灯１００を、図５に示す蛍光灯型ＬＥＤランプ２００に交換する場合、現在の蛍光灯１００と同様、蛍光灯型ＬＥＤランプ２００は、両側の電源ソケット２０５、２０６より電力供給を受ける構造になっている(図５参照)。
図７に示すように、蛍光灯型ＬＥＤランプ２００は、片側の電源ソケット２０５に口金ピン（端子）２０２ｐ1、２０２ｐ2が接触すると、もう片側の蛍光灯型ＬＥＤランプ２００の口金ピン（端子）２０３ｐ1、２０３ｐ2に通電し、電圧がかかる。
【００１６】
このため、図７に示すように、ユーザが、電源ソケット２０６に接触していない片側の蛍光灯型ＬＥＤランプ２００の口金ピン２０３ｐ1、２０３ｐ2に触れると電流が人体に流れるおそれがある。そこで、感電防止のためには、電源スイッチ１０８を切って、作業する必要がある。
本発明は上記実状に鑑み、取り付け、取り外し時に人体に電流が流れることがない安全性が高いＬＥＤランプおよびＬＥＤランプ取り付け装置の提供を目的とする。
【課題を解決するための手段】
【００１７】
上記目的を達成すべく、第１の本発明に関わるＬＥＤランプは、交流電圧が供給される一対の接続端子と、前記一対の接続端子を介して印加される交流電圧を直流電圧に変換するＡＣ／ＤＣコンバータと、前記直流電圧が印加され発光する光源のＬＥＤとを有するＬＥＤランプであって、前記接続端子がＬＥＤランプ取り付け装置の対応する被接続端子に接続された場合、前記ＡＣ／ＤＣコンバータへの前記交流電圧の通電をオンする一方、前記接続端子が対応する前記被接続端子に接続されない場合、前記ＡＣ／ＤＣコンバータへの前記通電をオフする安全スイッチ手段を備えている。
【００１８】
第２の本発明に関わるＬＥＤランプ取り付け装置は、交流電圧が供給される一対の接続端子および前記一対の接続端子を介して印加される交流電圧を直流電圧に変換するＡＣ／ＤＣコンバータおよび前記直流電圧が印加され発光する光源のＬＥＤを有するＬＥＤランプが、その一対の接続端子が一対の被接続端子にそれぞれ接続されることで、前記一対の被接続端子を介して前記ＬＥＤランプに交流電圧を供給するＬＥＤランプ取り付け装置であって、前記ＬＥＤランプの一対の接続端子がそれぞれ対応する前記一対の被接続端子に接続された場合に前記ＬＥＤランプに交流電圧を供給する一方、前記ＬＥＤランプの一方の接続端子が対応する一方の前記被接続端子に接続されるとともに前記ＬＥＤランプの他方の接続端子が対応する他方の前記被接続端子に接続されない場合に前記一方の被接続端子を介して前記ＬＥＤランプに交流電圧を供給しない安全スイッチ手段を備えている。
【発明の効果】
【００１９】
本発明によれば、取り付け、取り外し時に人体に電流が流れることがない安全性が高いＬＥＤランプおよびＬＥＤランプ取り付け装置を実現できる。
【図面の簡単な説明】
【００２０】
【図１】本願発明に係る実施形態の直管型の蛍光灯型ＬＥＤランプを示す斜視図である。
【図２】(ａ)は、実施形態の直管型の蛍光灯型ＬＥＤランプの構造を示す概念図であり、(ｂ)は、実施形態の直管型の蛍光灯型ＬＥＤランプが灯器具にセットされた構造を示す概念図である。
【図３】実施形態の直管型の蛍光灯型ＬＥＤランプを灯器具へ取り付ける作業を示す概念図である。
【図４】従来の直管型の蛍光灯がグロースタータ式蛍光灯照明装置の蛍光灯灯器具にセットされた構造を示す概念図である。
【図５】従来の直管型の蛍光灯型ＬＥＤランプが灯器具にセットされた構造を示す概念図である。
【図６】従来の蛍光灯を蛍光灯灯器具の電源ソケットに取り付ける様子を示す概念図である。
【図７】従来の蛍光灯型ＬＥＤランプを灯器具の電源ソケットに取り付ける様子を示す概念図である。
【発明を実施するための形態】
【００２１】
以下、本発明の実施形態について添付図面を参照して説明する。
図１は、本願発明に係る実施形態の直管型の蛍光灯型ＬＥＤランプ１を示す斜視図である。図２(ａ)は、直管型の蛍光灯型ＬＥＤランプ１の構造を示す概念図であり、図２(ｂ)は、直管型の蛍光灯型ＬＥＤランプ１が灯器具Ｋ１にセットされた構造を示す概念図である。
【００２２】
＜＜蛍光灯型ＬＥＤランプ１の構成＞＞
図１に示すように、実施形態の蛍光灯型ＬＥＤランプ１は、透明なアクリル等の樹脂管２と、樹脂管２内の実装基板３ｋ上に照明方向(図１の紙面斜め手前側)に向けて搭載される光源の多数のＬＥＤ部３と、樹脂管２の両端部をそれぞれ閉塞する口金４、５と、一方端部の口金４に固定され一方端部の端子を形成する一対の口金ピン４ｐ1、４ｐ2と、一方端部の口金４から外方に露出するとともに口金ピン４ｐ1、４ｐ2間に配置される第１安全スイッチ１０(図２(ａ)参照)のスイッチピン１１と、他方端部の口金５に固定され樹脂管２の他方端部の端子を形成する一対の口金ピン５ｐ1、５ｐ2と、他方端部の口金５から外方に露出するとともに口金ピン５ｐ1、５ｐ2間に配置される第２安全スィッチ２０(図２(ａ)参照)のスイッチピン２１とを具えている。
【００２３】
図１に示す各ＬＥＤ部３は、例えば、青色ＬＥＤ(図示せず)と、該青色ＬＥＤを覆い所望の色の白色光とする黄色の樹脂(図示せず)と、黄色の樹脂を透過した白色光を広角度の光とするレンズ３ｌとを有している。各ＬＥＤ部３は、互いに直列に配線され、例えば、直流の駆動電圧３．５Ｖ、駆動電流１０ｍＡで発光されている。
また、図１に示す蛍光灯型ＬＥＤランプ１における樹脂管２内の実装基板３ｋの裏側には、図２(ａ)に示すＡＣ／ＤＣコンバータ６が実装されている。
【００２４】
＜灯器具Ｋ１の回路＞
蛍光灯型ＬＥＤランプ１が取り付けられる灯器具Ｋ１の回路は、図２(ｂ)に示すように、蛍光灯型ＬＥＤランプ１を灯器具Ｋ１に取り付けた場合、蛍光灯型ＬＥＤランプ１の一方端部の端子である一対の口金ピン４ｐ1、４ｐ2が挿入される電源ソケット７の雌型端子７ａ、７ｂが電源のオン／オフを行うための電源スイッチ９に接続され、該電源スイッチ９が、商用電源のＡＣ電源Ｄに接続され、該ＡＣ電源Ｄが、蛍光灯型ＬＥＤランプ１の他方端部の端子である一対の口金ピン５ｐ1、５ｐ2が挿入される電源ソケット８の雌型端子８ａ、８ｂに接続されている。
この構成により、灯器具Ｋ１に取り付けられた蛍光灯型ＬＥＤランプ１は、一方端部の端子の一対の口金ピン４ｐ1、４ｐ2と他方端部の端子の一対の口金ピン５ｐ1、５ｐ2とを介して、ＡＣ電源Ｄの交流電圧が供給される。
【００２５】
＜蛍光灯型ＬＥＤランプ１のＡＣ／ＤＣコンバータ６＞
図２(ｂ)に示すように、蛍光灯型ＬＥＤランプ１のＡＣ／ＤＣコンバータ６は、蛍光灯型ＬＥＤランプ１の一方端部の口金ピン４ｐ1、４ｐ2と他方端部の口金ピン５ｐ1、５ｐ2とから供給されるＡＣ電源Ｄからの交流電圧を所望の直流電圧に変換して、所定の直流電圧を多数のＬＥＤ部３に出力している。これにより、各ＬＥＤ部３には、前記したように、例えば、直流の駆動電圧３．５Ｖ、駆動電流１０ｍＡが供給されている。
なお、駆動電圧、駆動電流は、これらの値に限定されないのは勿論である。
【００２６】
＜蛍光灯型ＬＥＤランプ１の第１安全スイッチ１０＞
図２(ａ)に示す第１安全スイッチ１０は、ユーザが蛍光灯型ＬＥＤランプ１を灯器具Ｋ１(図２(ｂ)参照)に取り付けるに際して、ユーザが蛍光灯型ＬＥＤランプ１の一方端部の口金４を持って、蛍光灯型ＬＥＤランプ１の他方端部の端子の一対の口金ピン５ｐ1、５ｐ2を灯器具Ｋ１の電源ソケット８の雌型端子８ａ、８ｂに挿入した際に、蛍光灯型ＬＥＤランプ１の一方端部の一対の口金ピン４ｐ1、４ｐ2への通電を結線ｋ１、ｋ２間の接続を遮断し(図２(ａ)参照)、ユーザが一方端部の一対の口金ピン４ｐ1、４ｐ2を介して、感電しないようにするための安全スイッチである。
【００２７】
第１安全スイッチ１０は、結線ｋ１、ｋ２間の開放(図２(ａ)参照)、接続(図２(ｂ)参照)を行うスイッチピン１１と、スイッチピン１１に図２(ａ)の矢印α1方向の力を付与する圧縮コイルバネ１２と、圧縮コイルバネ１２の端部が支持されスイッチピン１１に対して圧縮コイルバネ１２による外方に向けての押圧力を得るためのバネ支持部１s1とを具えている。
なお、バネ支持部１s1は、1蛍光灯型ＬＥＤランプ１内に固設される支持部である。
【００２８】
図２(ａ)に示す第１安全スイッチ１０のスイッチピン１１は、蛍光灯型ＬＥＤランプ１の外方に配置される一方の先端部１１ａが半球状等の曲率を有した形状に形成されており、蛍光灯型ＬＥＤランプ１の内部に配置される他方端部には結線ｋ１、ｋ２間の接続(図２(ｂ)参照)、開放(図２(ａ)参照)を担う良導体の接続端子１１ｂを有しており、また、その中央部域には、圧縮コイルバネ１２によって押圧されるフランジ部１１ｆを有している。
スイッチピン１１の先端部１１ａは、ゴムラバー等の緩衝材で覆ってもよいし、スイッチピン１１を幾つかの部材を組み合わせて構成してもよい。また、スイッチピン１１は、接続端子１１ｂを良導体で形成すれば、高強度の樹脂で形成してもよいし、鋼材で形成してもよいし、スイッチピン１１の母材は、限定されないのは勿論である。
【００２９】
この構成により、図２(ａ)に示す蛍光灯型ＬＥＤランプ１の一方端部の一対の口金ピン４ｐ1、４ｐ2を、図２(ｂ)に示すように、灯器具Ｋ１の電源ソケット７の雌型端子７ａ、７ｂに挿入することにより、電源ソケット７のソケット壁面７ｈが、圧縮コイルバネ１２により外方に向けて押圧されるスイッチピン１１の一方端部の先端部１１ａを、図２(ｂ)の矢印α２方向に押圧し、スイッチピン１１の他方端部の接続端子１１ｂが結線ｋ１、ｋ２間を接続する(図２(ｂ)参照)。
【００３０】
これにより、電源ソケット７の雌型端子７ａ、７ｂから供給される交流電圧を結線ｋ１、スイッチピン１１の接続端子１１ｂ、結線ｋ２を介して、ＡＣ／ＤＣコンバータ６に供給することができる。
なお、スイッチピン１１の一方の先端部１１ａは、曲率を有する形状に形成されているので、蛍光灯型ＬＥＤランプ１の一対の口金ピン４ｐ1、４ｐ2を、図２(ｂ)に示すように、灯器具Ｋ１の電源ソケット７の雌型端子７ａ、７ｂに挿入する際、スイッチピン１１の先端部１１ａが電源ソケット７のソケット壁面７ｈに引っかかることなくスイッチピン１１が円滑に動作するため、第１安全スイッチ１０のＯＮ／ＯＦＦ動作が円滑に行われる。
【００３１】
＜蛍光灯型ＬＥＤランプ１の第２安全スイッチ２０＞
図２(ａ)に示す第２安全スイッチ２０は、ユーザが蛍光灯型ＬＥＤランプ１を灯器具Ｋ１に取り付けるに際して、図３に示すように、ユーザが蛍光灯型ＬＥＤランプ１の他方端部の口金５を持って、蛍光灯型ＬＥＤランプ１の一方端部の端子である一対の口金ピン４ｐ1、４ｐ2を灯器具Ｋ１の電源ソケット７の雌型端子７ａ、７ｂに挿入する際に、蛍光灯型ＬＥＤランプ１の他方端部の端子である一対の口金ピン５ｐ1、５ｐ2への通電を結線ｋ３、ｋ４間の接続を遮断し(図２(ａ)参照)、ユーザが蛍光灯型ＬＥＤランプ１の他方端部の一対の口金ピン５ｐ1、５ｐ2(図３参照)を介して、感電しないようにする安全スイッチである。
なお、図３は、直管型の蛍光灯型ＬＥＤランプ１を蛍光灯灯器具Ｋ１への取り付け作業を示す概念図である。
【００３２】
第２安全スイッチ２０は、結線ｋ３、ｋ４間の開放(図２(ａ)参照)、接続(図２(ｂ)参照)を行うスイッチピン２１と、スイッチピン２１に図２(ａ)の矢印α3方向の力を付与する圧縮コイルバネ２２と、圧縮コイルバネ２２の端部が支持されスイッチピン２１に対して圧縮コイルバネ２２による外方に向けての押圧力を得るためのバネ支持部１s2とを具えている。
なお、バネ支持部１s2は、蛍光灯型ＬＥＤランプ１内に固設される支持部である。
【００３３】
図２(ａ)に示す第２安全スイッチ２０のスイッチピン２１は、蛍光灯型ＬＥＤランプ１の外方に配置される一方の先端部２１ａが半球状等の曲率を有した形状に形成されており、蛍光灯型ＬＥＤランプ１の内部に配置される他方端部には結線ｋ３、ｋ４間の接続(図２(ｂ)参照)、開放(図２(ａ)参照)を担う良導体の接続端子２１ｂを有しており、その中央部域には、圧縮コイルバネ２２の一方端部によって押圧されるフランジ部２１ｆを有している。
スイッチピン２１の先端部２１ａは、ゴムラバー等の緩衝材で覆ってもよいし、スイッチピン２１を幾つかの部材を組み合わせて構成してもよい。また、スイッチピン２１は、接続端子２１ｂを良導体で形成すれば、高強度の樹脂で形成してもよいし、鋼材で形成してもよいし、スイッチピン２１の母材は、限定されないのは勿論である。
【００３４】
この構成により、図２(ａ)に示す蛍光灯型ＬＥＤランプ１の他方端部の一対の口金ピン５ｐ1、５ｐ2を、図２(ｂ)に示すように、蛍光灯灯器具Ｋ１の電源ソケット８の雌型端子８ａ、８ｂに挿入することにより、電源ソケット８のソケット壁面８ｈが、圧縮コイルバネ２２により外方に向けて押圧されるスイッチピン２１の一方端部の先端部２１ａを、図２(ｂ)の矢印α４方向に押圧し、スイッチピン２１の他方端部の接続端子２１ｂが結線ｋ３、ｋ４間を接続し(図２(ｂ)参照)、電源ソケット８の雌型端子８ａ、８ｂから供給される交流電圧を結線ｋ３、スイッチピン２１の接続端子２１ｂ、結線ｋ４を介して、ＡＣ／ＤＣコンバータ６に供給することができる。
【００３５】
なお、スイッチピン２１の一方の先端部２１ａは、曲率を有する形状に形成されているので、蛍光灯型ＬＥＤランプ１の一対の口金ピン５ｐ1、５ｐ2を、図２(ｂ)に示すように、灯器具Ｋ１の電源ソケット８の雌型端子８ａ、８ｂに挿入する際に、スイッチピン２１の先端部２１ａが電源ソケット８のソケット壁面８ｈに引っかかることなくスイッチピン２１が円滑に動作するため、第２安全スイッチ２０のＯＮ／ＯＦＦ動作が円滑に行われる。
【００３６】
＜＜蛍光灯型ＬＥＤランプ１の蛍光灯灯器具Ｋ１への取り付け＞＞
次に、蛍光灯型ＬＥＤランプ１の灯器具Ｋ１への取り付けについて、図３を用いて説明する。
ユーザが、図３に示すように、蛍光灯型ＬＥＤランプ１を灯器具Ｋ１に取り付ける場合、ユーザが蛍光灯型ＬＥＤランプ１の他方側の口金５を持って、蛍光灯型ＬＥＤランプ１の一方側の口金ピン４ｐ1、４ｐ2を電源ソケット７の雌型端子７ａ、７ｂに挿入すると、スイッチピン１１の一方の先端部１１ａが圧縮コイルバネ１２の弾性力に抗して電源ソケット７のソケット壁面７ｈに押圧され、スイッチピン１１の一方の接続端子１１ｂが結線ｋ１、ｋ２間を接続する。
【００３７】
これにより、ＡＣ電源Ｄによる電流が、電源スイッチ９、電源ソケット７の雌型端子７ａ、７ｂ、蛍光灯型ＬＥＤランプ１の口金ピン４ｐ1、４ｐ2、結線ｋ１、スイッチピン１１の接続端子１１ｂ、結線ｋ２を介して、ＡＣ／ＤＣコンバータ６に供給される。
この場合、ユーザは蛍光灯型ＬＥＤランプ１の他方側の口金５を持っており、口金ピン５ｐ1、５ｐ2に接触しているが、図３に示すように、第２安全スイッチ２０のスイッチピン２１が圧縮コイルバネ２２に付勢され、スイッチピン２１の接続端子２１ｂが結線ｋ３、ｋ４から離れ、結線ｋ３、ｋ４間の接続を遮断しているので、ＡＣ電源Ｄによる電流が、口金ピン５ｐ1、５ｐ2を介して、ユーザに流れることはない。
【００３８】
すなわち、図２(ｂ)に示すように、蛍光灯型ＬＥＤランプ１の両方の第１安全スイッチ１０のスイッチピン１１が電源ソケット７に押され、初めて接続端子１１ｂによって結線ｋ１、ｋ２間が導通し、また、第２安全スイッチ２０のスイッチピン２１が電源ソケット８に押され、接続端子２１ｂによって結線ｋ３、ｋ４間が導通する。
そのため、図３に示すように、蛍光灯型ＬＥＤランプ１の片側の口金ピン４ｐ1、４ｐ2が、電源ソケット７に挿入されていても、反対側の第２安全スイッチ２０のスイッチピン２１が押されない限り口金ピン５ｐ1、５ｐ2には電流が流れることはない
【００３９】
＜作用効果＞
上記構成によれば、蛍光灯型ＬＥＤランプ１が、第１安全スイッチ１０と第２安全スイッチ２０とを有しており、蛍光灯型ＬＥＤランプ１の一方端部の一対の口金ピン４ｐ1、４ｐ2が蛍光灯灯器具Ｋ１の電源ソケット７の雌型端子７ａ、７ｂに挿入されない限り、ＡＣ電源Ｄの電流が蛍光灯型ＬＥＤランプ１の一方端部の口金ピン４ｐ1、４ｐ2に流れない構造であり、また、他方端部の一対の口金ピン５ｐ1、５ｐ2が、電源ソケット８の雌型端子８ａ、８ｂに挿入されない限り、ＡＣ電源Ｄの電流が蛍光灯型ＬＥＤランプ１の他方端部の口金ピン５ｐ1、５ｐ2に流れない構造である。そのため、図３に示すように、ユーザが蛍光灯型ＬＥＤランプ１を灯器具Ｋ１に取り付ける際に感電することがない。
【００４０】
なお、前記実施形態では、メカ式の第１安全スイッチ１０と第２安全スイッチ２０とを蛍光灯型ＬＥＤランプ１に適用する場合を例示して説明したが、第１・第２安全スイッチ１０、２０に代替して、両側の電源ソケット７、８内にマグネット等の磁性体を配置するとともに蛍光灯型ＬＥＤランプ１の両端部にそれぞれ電源ソケット７、８内のマグネット等の各磁性体の磁気を検出する一対の磁気センサを設ける。また、それぞれの磁気センサでマグネット等の磁性体の磁気を検出した場合には蛍光灯型ＬＥＤランプ１内の結線ｋ１、ｋ２、結線ｋ３、ｋ４をそれぞれ導通状態(図２(ｂ)参照)にする一方、それぞれの磁気センサでマグネット等の磁性体の磁気を検出しない場合には蛍光灯型ＬＥＤランプ１内の結線ｋ１、ｋ２、結線ｋ３、ｋ４をそれぞれ非導通状態(図２(ａ)参照)のままにする一対の安全スイッチを設ける。
そして、蛍光灯型ＬＥＤランプ１の片側の口金ピンが片側の電源ソケットに装着された場合には、片側の電源ソケット内のマグネット等の磁性体の磁気を磁気センサで検出し、片側の安全スイッチで片側の結線を導通状態にするように構成してもよい。
このように、前記実施形態で例示した第１安全スイッチ１０と第２安全スイッチ２０以外の安全スイッチを適用してもよいことは勿論である。
【００４１】
＜＜変形形態＞＞
前記実施形態で説明した蛍光灯型ＬＥＤランプ１の第１安全スイッチ１０および第２安全スイッチ２０に代替して、蛍光灯型ＬＥＤランプ１が、その一対の接続端子をそれぞれ一対の被接続端子に接続し、該被接続端子を介して蛍光灯型ＬＥＤランプ１に交流電圧を供給する灯器具Ｋ１に、安全スイッチ手段を設けてもよい。
すなわち、灯器具Ｋ１に、蛍光灯型ＬＥＤランプ１の一対の接続端子がそれぞれ対応する被接続端子に接続された場合にオンして蛍光灯型ＬＥＤランプ１に交流電圧を供給する一方、蛍光灯型ＬＥＤランプ１の一方の接続端子が対応する一方の被接続端子に接続されるとともに蛍光灯型ＬＥＤランプ１の他方の接続端子が対応する他方の被接続端子に接続されない場合に前記一方の被接続端子を介して蛍光灯型ＬＥＤランプ１に交流電圧を供給しない安全スイッチ手段を備える構成としてもよい。
【００４２】
例えば、灯器具Ｋ１の安全スイッチ手段として、蛍光灯型ＬＥＤランプ１の一方の接続端子が灯器具Ｋ１の一方の被接続端子に接続されることを検知する第１端子センサと、この第１端子センサの一方側の接続の検知によって蛍光灯灯器具Ｋ１の他方の被接続端子から蛍光灯型ＬＥＤランプ１の他方の接続端子に交流電圧を供給する一方、第１端子センサが一方側の接続を検知しない場合には蛍光灯灯器具Ｋ１の他方の被接続端子から蛍光灯型ＬＥＤランプの他方の接続端子への交流電圧の供給を止める第１安全端子スイッチを設ける。また、蛍光灯型ＬＥＤランプの他方の接続端子が蛍光灯灯器具Ｋ１の他方の被接続端子に接続されることを検知する第２端子センサと、この第２端子センサの他方側の接続の検知によって蛍光灯灯器具Ｋ１の一方の被接続端子から交流電圧を蛍光灯型ＬＥＤランプの一方の接続端子に供給する通電状態とする一方、第２端子センサが他方側の接続を検知しない場合には蛍光灯灯器具Ｋ１の一方の被接続端子から交流電圧の蛍光灯型ＬＥＤランプの一方の接続端子への供給を止める非通電状態とする第２安全端子スイッチを設ける。
なお、第１端子センサ、第２端子センサは、接続端子と被接続端子との接触する際の接続端子の移動の検知や、接続端子が被接続端子に接触される際の磁気、静電容量の変化等により、接続端子と被接続端子との接触を検知できる。
【００４３】
或いは、実施形態で例示した蛍光灯型ＬＥＤランプ１の第１安全スイッチ１０および第２安全スイッチ２０に代替して、灯器具Ｋ１に蛍光灯型ＬＥＤランプ１の両側の端子が接続されたことを検知するセンサおよび該センサの検知信号により蛍光灯型ＬＥＤランプ１への通電の可否を制御する安全制御部を設ける。
そして、蛍光灯型ＬＥＤランプ１の両方の端子の一対の口金ピン４ｐ1、４ｐ2と口金ピン５ｐ1、５ｐ2とが、それぞれ蛍光灯灯器具Ｋ１の電源ソケット７の雌型端子７ａ、７ｂ、電源ソケット８の雌型端子８ａ、８ｂに挿入されたことをセンサにより検知して、センサの検知信号を用いて安全制御部により、電源ソケット７の雌型端子７ａ、７ｂおよび電源ソケット８の雌型端子８ａ、８ｂから、蛍光灯型ＬＥＤランプ１に通電する一方、蛍光灯型ＬＥＤランプ１の両方の端子の一対の口金ピン４ｐ1、４ｐ2と口金ピン５ｐ1、５ｐ2とが、それぞれ灯器具Ｋ１の電源ソケット７の雌型端子７ａ、７ｂ、電源ソケット８の雌型端子８ａ、８ｂに挿入されない場合には、安全制御部により、電源ソケット７の雌型端子７ａ、７ｂおよび電源ソケット８の雌型端子８ａ、８ｂから、蛍光灯型ＬＥＤランプ１に通電しない構成とすることも可能である。
【００４４】
なお、センサは、上記と同様に、接続端子と被接続端子との接触する際の接続端子の移動の検知や、接続端子が被接続端子に接触される際の磁気、静電容量の変化等により、接続端子と被接続端子との接触を検知できる。
上記変形形態によれば、蛍光灯型ＬＥＤランプ１を灯器具Ｋ１に取り付ける際には、ユーザが手に持つ口金４の口金ピン４ｐ1、４ｐ2または口金５の口金ピン５ｐ1、５ｐに電流が流れないので、ユーザが感電することはない。
【００４５】
＜＜まとめ＞＞
蛍光灯型ＬＥＤランプ１の取り付け、取り外しするに際して構造的欠陥を防止するため、蛍光灯型ＬＥＤランプ１への通電を遮断する安全スイッチを蛍光灯型ＬＥＤランプ１の両端部の口金部４、５もしくは電源ソケット７、８等を有する灯器具Ｋ１に設置する。
そして、電源ソケット７、８にそれぞれ蛍光灯型ＬＥＤランプ１の口金ピン４ｐ1、４ｐ2、５ｐ1、５ｐ2を押し込んだ状態のとき、給電を開始するスイッチ構造としている。
このように、蛍光灯型ＬＥＤランプ１が、灯器具Ｋ１への取付けが完全になされ、蛍光灯型ＬＥＤランプ１を完全に灯器具Ｋ１に装着しないと給電は開始しない。
また、蛍光灯灯器具Ｋ１からの取外しを完了するまで、通電を停止する構造としている。
【００４６】
これにより、例えば、ユーザが蛍光灯型ＬＥＤランプ１を灯器具Ｋ１に取り付け、取り外しするに際し、感電することがない。
そのため、蛍光灯型ＬＥＤランプ１および灯器具Ｋ１の安全性の向上を図ることが可能である。
【００４７】
なお、前記実施形態では、スイッチピン１１、２１を押圧する付勢部材として、圧縮コイルバネ１１、１２を例示したが、スイッチピン１１、２１に付勢力を付与できれば、板バネ、ゴム、スポンジ等、圧縮コイルバネ以外の付勢部材を適用できるのは勿論である。
なお、図２(ａ)に示すように、灯器具Ｋ１として、安定器等のないものを例示して説明したが、従来の図４に示す安定器１０９等がある蛍光灯灯器具Ｋ１０を適用することも可能である。灯器具Ｋ１としては、安定器等がない方が消費電力、重量の点で有利である。
【符号の説明】
【００４８】
１      蛍光灯型ＬＥＤランプ(ＬＥＤランプ)
３      ＬＥＤ部(ＬＥＤ)
４ｐ1、４ｐ2  口金ピン(接続端子)
５ｐ1、５ｐ2  口金ピン(接続端子)
６      ＡＣ／ＤＣコンバータ
７ａ、７ｂ  雌型端子(被接続端子)
８ａ、８ｂ  雌型端子(被接続端子)
１０    第１安全スイッチ(安全スイッチ手段)
１１    スイッチピン(第１当接部材)
１１ｂ    接続端子(第１スイッチ接続端子部)
１２    圧縮コイルバネ(第１付勢部材)
２０    第２安全スイッチ(安全スイッチ手段)
２１    スイッチピン(第２当接部材)
２１ｂ    接続端子(第２スイッチ接続端子部)
２２    圧縮コイルバネ(第２付勢部材)
Ｋ１    灯器具(ＬＥＤランプ取り付け装置)
【図１】
2010192229.tif 000003
【図２】
2010192229.tif 000004
【図３】
2010192229.tif 000005
【図４】
2010192229.tif 000006
【図５】
2010192229.tif 000007
【図６】
2010192229.tif 000008
【図７】
2010192229.tif 000009